(57)【特許請求の範囲】
【請求項１】
壁面等に直接固定する構成で摺動溝７を穿設された固定部材２と、物干し竿の挿通孔６、６・・・を有するアーム部材４の二点部材から成り、該固定部材２には穿設された摺動溝７に嵌合されたアーム支持軸３が前記アーム部材４に穿設された長孔１３を貫通して連繋されており、また前記固定部材２にはアーム支持軸３の摺動溝７並びに前記アーム部材４端部に設けられた第１の係止ピン受け部１１及び第２の係止ピン受け部１２に係合可能な複数の係止ピン８、９、１０がネジ止めされ、前記アーム部材４は長孔１３を貫通するアーム支持軸３を中心に固定部材２に対して回動並びに摺動可能に構成され、該アーム部材４を回動並びに摺動させることにより前記アーム部材４の高さ可変時には第２の係止受け部１２が複数の係止ピン８、９、１０のいずれか一つに係合し、収納位置に於いては第１の係止ピン受け部１１が係止ピン８に係合してロックを可能にしたことを特徴とする物干し竿掛け。
【請求項２】
前記物干し竿掛けを壁面等に一対設置し、該物干し竿掛けに前記物干し竿５を装架し、該物干し竿５を持ち上下動作させることにより、左右両端部の物干し竿掛け１、１が同時に可動し、予め設定された高い位置４a、水平位置４ｂ、並びに水平位置より下方位置４ｃ、そして収納位置４に可変設定可能なことを特徴とする請求項１記載の物干し竿掛け。
【請求項３】
前記予め設定された高い位置４a及び／又は下方位置４ｃの角度が略４５度であることを特徴とする請求項２記載の物干し竿掛け。
【請求項４】
前記固定部材２の設定された位置内に植設される前記係止ピン８、９、１０等の数を予め任意に増減させておくことにより、前記物干し竿５の支持位置を前記係止ピン８、９、１０に対応する任意の数段階に予め設定しておくことを特徴とする請求項１記載の物干し竿掛け。
【請求項５】
前記係止ピン８、９、１０と係合する前記第２の係止ピン受け部１２が、係合時に強い係合状態となり外れ止めともなるように、充分に深い溝部を備えるよう構成してあることを特徴とする請求項１記載の物干し竿掛け。
【請求項６】
壁面等に直接固定する構成で摺動溝７を穿設された固定部材２と、物干し竿の挿通孔６、６・・・を有するアーム部材４の二点部材から成り、該固定部材２には穿設された摺動溝７に嵌合されたアーム支持軸３が前記アーム部材４に穿設された長孔１３を貫通して連繋されており、また前記固定部材２にはアーム支持軸３の摺動溝７並びに前記アーム部材４端部に設けられた第１の係止ピン受け部１１及び第２の係止ピン受け部１２に係合可能な複数の係止ピン８、９、１０がネジ止めされ、前記アーム部材４は長孔１３を貫通するアーム支持軸３を中心に固定部材２に対して回動並びに摺動可能に構成された物干し竿掛けに於いて、
前記アーム部材４の高さ可変時には前記アーム部材４を回動並びに摺動させることにより第２の係止受け部１２が複数の係止ピン８、９、１０のいずれか一つに係合してロックし、また、アーム部材４の収納時には第１の係止ピン受け部１１が係止ピン８に係合して収納位置にロックすることを特徴とする物干し竿掛けの使用方法。
【発明の詳細な説明】
【０００１】
本発明は物干し竿を取り外すことなく簡単、且つ容易に物干し竿の支持アーム高さを段階的に可変して保持できる物干し竿掛け及び使用方法に関するものであり、特に本発明は物干し竿の収納位置、並びに物干し竿の幾つかの支持高さ位置の選択が可能で、その設定作業の操作性が良く、一対の物干し竿掛け間に装架される物干し竿を持って上下作動させることにより左右の物干し竿掛けが同時に可動して、予め設定された高い位置、水平位置、それよりも下方位置等任意の所定の位置、及び収納位置、に容易に可変され設定可能な物干し竿掛けと使用方法に関するものである。
【０００２】
【従来の技術】
従来より物干し竿掛けとしては、図１２に示すようなものが使われていた。即ちその構成としては、一般的にはベランダ立ち上がり壁５０等に取り付けられる物干し竿掛けは固定部材５１を介して壁面５０にアンカーボルトにて固定し、該固定部材５１に物干し竿支持アーム部材５２が設けられているものであり、前記、アーム部材５２は物干し竿を使用しない場合には該アーム部材５２を垂直方向に保持されている。
【０００３】
このアーム部材５２は長さが比較的短く形成されており、支持軸５４よりも上方にアーム部材５２の重心があるため、突部５５によってアーム部材５２を支持して、物干し竿支持アーム部材５２を収納した状態に保持している。そして使用時には、アーム部材５２を一旦上方に引き上げ（矢印A方向）、且つこの状態で回動し（矢印B方向）、該アーム部材５２の係止部５６と前記突部５５下方に設けられた係止部受け５７とが係合することにより、アーム部材５２は所定の角度位置で斜めに係止され、該アーム部材５２により支持された物干し竿に干し物を干す。
【０００４】
物干し竿の収納時には、前記と逆にアーム部材５２を垂直位置になる状態に回動し、この状態でアーム部材５２を長穴５８に沿って下降させて垂直方向に保持収納される。
【０００５】
この従来型の物干し竿掛けは、物干し竿収納時の保持機構、並びに物干し竿掛け使用時のアーム部材係止機構が固定部材及びアーム部材にて設けられており、簡単で、取扱いし易い物干し竿掛けとなつているが、物干し竿の保持高さを何段かに可変することが出来ない。
【０００６】
従って、前述の固定部材を竪方向に摺動出来るよう方立部材等に保持して物干し竿の支持高さを何段階かに可変出来る機構も考察されている。しかしながら、この様な機構では、物干し竿掛けの折りたたみ収納操作や、使用時のセッテイング操作とは別に物干し竿の高さ調整は前記固定部材の摺動によって行わなくてはならず、しかもその操作は竿を支持する両端２カ所の操作となり煩雑である。
【０００７】
【発明が解決しようとする課題】
而して本発明は上述の問題点に鑑みてなされたもので、一対の物干し竿掛け間に装架される物干し竿を取り外すことなく簡単、且つ容易に物干し竿の支持アームを予め設定する任意段階的に可変して保持できる新規な物干し竿掛けに関するものであり、特に本発明が解決しようとする課題は、予め設定された物干し竿の高い位置、水平位置、それよりも下方の位置、および収納位置に容易に可変設定可能な物干し竿掛けを供するもので、その操作は支持機構を簡略化して操作性を良くし、一対の物干し竿掛け間に装架される物干し竿中間部を持ち上下に回動させることにより、円滑で確実な操作の行える物干し竿掛けと使用方法を提供することを目的とするものである。
【０００８】
【課題を解決するための手段】
本発明の物干し竿掛けは、ベランダ等を構成するコンクリート壁面に一対の物干し竿掛けをアンカーボルト等で各々固着する。
【０００９】
該物干し竿掛けは、大きく分けては、コンクリート壁面に取り付けられる固定部材と、アーム部材と、のみからなり、該固定部材には、該固定部材に穿設された摺動溝内を任意に摺動可能なアーム支持軸が設けられており、該アーム支持軸は該アーム部材に設けられた長孔を挿通してアーム部材に回動および摺動自在に連結されている。
【００１０】
斯くして前記固定部材には、アーム部材の予めの位置決め設定の為の係止ピンが予め三本植設されており、回動および摺動自在に固定部材に連結されているアーム部材の端部に設けられた係止受け部が、該アーム部材の回動および摺動にて固定部材の係止ピンに係合することにより、アーム部材の位置決めが行われる。
【００１１】
アーム部材の回動および摺動の方向規制は、前記固定部材に穿設された摺動溝、並びにアーム部材に設けられた長孔のみとし、物干し竿の支持アーム位置を段階的に可変して保持するための操作性が非常によくなり、１対の物干し竿掛け間を挿架する物干し竿を持ち上下作動、並びに回動することで、左右の物干し竿掛けが同時に可動して予め設定された、高い位置、水平位置、それよりも下方の位置および収納位置に容易に可変設定可能な構成を要旨とするものである。
【００１２】
尚、第２の係止受け部は、係止ピンと嵌合する時に、強い嵌合状態となって外れ止めともなりうるよう、充分に深い溝部を備える構成とすることも望ましい。
【００１３】
又、固定部材を、壁面等にボルトにより直接固定する場合には、外観上ボルトを目視できないように、ボルトキャップにて冠着等して覆ってしまうことも好もしい。
【００１４】
【実施例１】
以下、本発明に係る物干し竿掛けと使用方法の実施例を図１乃至図１１に基づき説明する。図１は一対の物干し竿掛けに物干し竿を挿通した状態を示す説明図、図２乃至図４は主要部品説明図であって、図２は支持アーム、図３は固定部材、図４は固定部材上側面図、図５乃至図１１は本発明の駆動説明図である。
【００１５】
図１にあっては、本発明の一対の物干し竿掛けを壁面（図示せず）に取り付けた状態を示しており、物干し竿掛け１，１は壁面に固定する固定部材２，２と、該固定部材２にアーム支持軸３を介して上下方向に回動し、場合によっては摺動するようアーム部材４が設けられている。
【００１６】
アーム部材４，４には物干し竿５を挿通して保持できる竿挿通孔６，６，６・・・・がデザイン的に配列されており、前記竿挿通孔６，６を挿通して装架された物干し竿５の中間部を持ち、図１の状態で物干し竿５の両端部に配置されたアーム部材４，４上下方向に回動出来、必要に応じ所定位置に固定することが出来る。
【００１７】
尚、図１において７はアーム支持軸３を摺動可能に装着している摺動溝、他８，９，１０は固定部材２に植設されている係止ピンを示している。
【００１８】
図２はアーム部材４の形状を示す部品図であって、前述の竿挿通孔６，６，６・・・・と第１の係止ピン受け部１１、そしてアーム部材４端部には第２の係止ピン受け部１２が設けられており、該第２の係止ピン受け部１２の長手軸方向には所定間隔をおいて長孔１３が穿設されている。
【００１９】
前記アーム部材４は図３乃至図４に示す固定部材２に長孔１３を介して連結されるものであり、該固定部材２は図３乃至図４に示す摺動溝７内のアーム支持軸３に長孔１３が挿通され連繋を果たしている。
【００２０】
尚、図中１６は固定部材２を壁面に取り付ける為のボルト孔を示している。また、１６ａはボルトを（図５参）、更に１６ｂはボルト１６ａを覆うよう冠着等されたボルトキャップを示すものであり（図６参）、このボルトキャップ１６ｂの存在により、見苦しいとも云いうるボルト１６ａは外観上目視されなくなるので意匠的にも好もしいと云える。
【００２１】
アーム支持軸３は固定部材２に穿設された摺動溝７内をアーム部材４を伴って摺動出来るよう、一端は鍔１５、他端は割ピン付座金１４により組立てられている。
【００２２】
係止ピン８，９，１０はそれぞれ固定部材２を貫通して両端をねじ止めされており、該固定部材２上での係止ピン８，９，１０の配列は図３のアーム支持軸３位置でアーム部材４が回動した時の第２の係止ピン受け部１２の中心部の軌跡Ａ−Ａ上に設置されるものであり、この軌跡Ａ−Ａ上に設置される係止ピン８，９，１０の設置本数Ａ−Ａ上にて増やせばアーム部材４の設定位置、即ち物干し竿５の可変高さ設定段数は容易に増やすことが出来る（勿論、係止ピンの本数を減じれば、設定段数は減じることとなる）。
【００２３】
而して図５乃至図１２において本発明の物干し竿掛けの操作および駆動機構の説明をする。図５は本発明の物干し竿掛けのアーム部材４が折りたたまれ収納状態にある時の各構成要素の部位を示すもので、アーム部材４は壁面１７に対してアーム支持軸３を中心に下方に旋回して鉛直に収納されている。
【００２４】
また、アーム部材４に設けられている係止ピン受け部１１は固定部材２に植設されている係止ピン８に係合しアーム部材４をロックしており、アーム支持軸３は摺動溝７の下端に位置し、アーム部材４に穿たれた長孔１３から見れば前記アーム支持軸３は長孔１３上部に位置している。
【００２５】
図５にて想像線４a、４ｂ、４ｃは物干し竿使用時の段階的固定位置を示すもので、４aは保持される竿の位置が最も高くなる位置、４ｂはアーム部材４の位置が水平状態に固定される中間位置、４ｃは下方位置、にそれぞれアーム部材４を回動することによりセットできる。
【００２６】
図６によれば、アーム部材４の収納状態を解除して、物干し竿掛けを使用する場合、まず該アーム部材４を上部に持ち上げ、固定部材２に植設された係止ピン８とアーム部材４の第１の係止受け部１１との係合を外す（図６の状態）。次いでアーム部材４を矢印Cの方向に回動する。この時アーム支持軸３は長孔１３の下端部によって押し上げられ斜めに穿設された摺動溝７上端に位置して動きを規制されるため、図７に示す如くアーム部材４先端部に設けられた第２の係止受け部１２は、係止ピン１０，９，８に係止されることなく回動出来る。
【００２７】
図８によれば、上述の操作の後、アーム部材４先端部に設けられた第２の係止受け部１２が係止ピン８に係合しアーム部材４を固定し、該アーム部材４の挿通孔６にて保持される物干し竿を最も高い位置に、例えば上方略４５度位置に、セット出来る。
【００２８】
図９は図８の物干し竿セット時に於ける第２の係止受け部１２と係止ピン８との関係を部分拡大断面図として示すものである。
【００２９】
而して本発明は前述の操作を繰り返すことにより、図１０に示すように第２の係止受け部１２と係止ピン９の係合によりアーム部材４の位置が水平状態に固定される中間位置にセット出来、また前記操作の繰り返しにて、図１１の如く、第２の係止受け部１２と係止ピン１０の係合を行い、もう一段下方に位置に、例えば下方略４５度位置に、アーム部材４をセット出来ることとなる。
【００３０】
その操作はアーム部材４を固定部材２に連結したアーム支持軸３が、前記固定部材２に穿設された摺動溝７とアーム部材４に穿設した長孔１３により摺動並びに回動を規制されることで成立し、且つ摺動溝７と長孔１３は共に比較的短い直線上の摺動溝と長孔であることから、簡単な構成で動きが円滑となる。
【００３１】
従って本発明では図１に示すような１対の物干し竿掛け間に装架される物干し竿の中間部を持ち両端の物干し竿掛けを同時に動かして、該物干し竿掛けの収納位置から予め設定されている高い位置、例えば上方略４５度位置、水平位置、そしてそれよりも下方位置、例えば下方略４５度位置、の三段階の位置にて、それぞれ物干し竿を固定できるし、又、物干し竿を固定し干し物を乾燥した後には、前記使用時の固定方法と同様の操作にて物干し竿を外す事なく収納位置に戻すことが可能となる。
【００３２】
また、本発明の物干し竿掛けは、図３にて説明した如く、固定部材２上に配列される係止ピン８，９，１０の位置は図３の状態で、第２の係止受け部１２がアーム支持軸３を中心に回動した軌跡Ａ−Ａ上にされたものであり、この軌跡上で係止ピン８，９，１０・・・と予め植設本数を自由に増減すれば、物干し竿の可変高さ段数を予め設定する任意段数に増減することが容易に可能となることは勿論である（図示はしない）。
【００３３】
【実施例２】
図１１はアームを所定位置にセットした状態に於いて、意図しない誤っての人為的接触などによっても、容易にセット状態がそこなわれないように（殊に、水平位置又は、下方位置でのセット状態時に於いて）、第２の係止受け部１２の溝１２ａを充分深く形成したものを示している。
尚、その他については【実施例１】と同様であるため、繰り返しての説明は省略する。
この実施例は、殊に水平位置４ｂ又は下方位置４ｃにセットした時の外れ止めとして良好に作用する。
【００３４】
【発明の効果】
以上述べたように本発明に係る物干し竿掛けと使用方法は、壁等に直接固定する構成の固定部材と、物干し竿の挿通孔を有するアーム部材の２点からなり、前記固定部材にはアーム支持軸の摺動溝並びにアーム部材端部に設けられた第１の係止受け部材並びに第２の係止受け部に係合可能な複数の係止ピンが穿設されており、前記アーム部材は長孔を介してアーム支持軸にて固定部材に対して回動並びに摺動できるよう構成され、アーム部材を回動並びに摺動させて前記アーム部材の第１の係止受け部と第２の係止受け部を前記固定部材に植設されている係止ピンに係合させることで数段階のアーム部材の高さ可変と収納位置でのアーム部材のロックを可能としたものであって、組立部品数量が少なく簡単で、容易な操作で物干し竿の支持高さを段階的に可変出来る物干し竿掛けを提供できるものである。
【００３５】
殊に組立部品数が極端に少なく、操作性もよいので、例えば一対の物干し竿間に装架される物干し竿の中間部を持って上下作動させる事により左右両端の物干し竿掛けが同時に可動して、予め設定された任意位置、例えば高い位置、水平位置、それよりも下方位置、および収納位置等に任意かつ容易に可変設定できるし、又、強固なセット状態が確保されるので外れることもない、等顕著な特徴を有するものであり、本発明の実施によって得られる効果は多大である。
【図面の簡単な説明】
【図１】本発明の物干し竿掛けを示す説明図である。
【図２】本発明に使用されるアーム部材部品図である。
【図３】本発明に使用される固定部材部品図である。
【図４】図３固定部材部品上側面図である。
【図５】駆動説明図である。
【図６】駆動説明図である。
【図７】駆動説明図である。
【図８】駆動説明図である。
【図９】要部断面拡大駆動説明図である。
【図１０】駆動説明図である。
【図１１】駆動説明である。
【図１２】本発明の他の実施例を示すアーム部材部品図である。
【図１３】従来の物干し掛けを示す説明図である。
【符号の説明】
１    物干し竿掛け
２    固定部材
３    アーム支持軸
４    アーム部材
４ａ，４ｂ，４ｃ    想像固定位置
５    物干し竿
６    竿挿通孔
７    摺動溝
８    係止ピン
９    係止ピン
１０    係止ピン
１１    第１の係止ピン受け部
１２    第２の係止ピン受け部
１２ａ  第２の係止ピン受け部の溝部
１３    長孔
１４    割ピン付座金
１５    鍔
１６    取付用アンカーボルト孔
１６ａ  ボルト
１６ｂ  ボルトキャップ
１７    壁面
Ａ−Ａ  軌跡
【図１】
0003735295.tif 000002
【図２】
0003735295.tif 000003
【図３】
0003735295.tif 000004
【図４】
0003735295.tif 000005
【図５】
0003735295.tif 000006
【図６】
0003735295.tif 000007
【図７】
0003735295.tif 000008
【図８】
0003735295.tif 000009
【図９】
0003735295.tif 000010
【図１０】
0003735295.tif 000011
【図１１】
0003735295.tif 000012
【図１２】
0003735295.tif 000013
【図１３】
0003735295.tif 000014